(57)【要約】【課題】簡素な装置構成で複数の表示部の位置を特定することができる表示システム、及びエンラージ設定方法を提供する。【解決手段】画像表示システム１００は、１画面分の画像を複数の表示部Ｄａで表示させることが可能である。画像表示システム１００は、入力部４０と、制御部Ｄｃ１とを備える。入力部４０は、画像表示システム１００に対する指示を受け付ける。制御部Ｄｃ１は、表示部Ｄａを制御する。複数の表示部Ｄａは、基準表示部と、基準表示部に対する位置を特定される特定表示部とを含む。基準表示部に対する特定表示部の位置を入力するための入力画像５０が基準表示部に表示されるように、制御部Ｄｃ１が基準表示部を制御する。入力部４０は、入力画像５０を介して基準表示部に対する特定表示部の位置の入力を受け付ける。【選択図】図６
2019159168.tif 000002
【特許請求の範囲】
【請求項１】
１画面分の画像を複数の表示部で表示させることが可能な画像表示システムであって、
前記画像表示システムに対する指示を受け付ける入力部と、
前記表示部を制御する制御部と
を備え、
前記複数の表示部は、基準表示部と、前記基準表示部に対する位置を特定される特定表示部とを含み、
前記基準表示部に対する前記特定表示部の位置を入力するための入力画像が前記基準表示部に表示されるように、前記制御部が前記基準表示部を制御し、
前記入力部は、前記入力画像を介して前記基準表示部に対する前記特定表示部の位置の入力を受け付ける、画像表示システム。
【請求項２】
前記複数の表示部には、前記基準表示部に指定される順番が予め割り当てられ、
前記基準表示部に対する前記特定表示部の位置の入力を前記入力部が受け付ける毎に、前記制御部は、前記順番に従って前記基準表示部を前記複数の表示部のうちから変更する、請求項１に記載の画像表示システム。
【請求項３】
前記基準表示部に対する前記特定表示部の位置の入力を前記入力部が受け付ける際、前記特定表示部を表すガイド画像が前記特定表示部に表示されるように、前記制御部が前記特定表示部を制御する、請求項２に記載の画像表示システム。
【請求項４】
前記順番が最後の前記基準表示部に対する前記特定表示部の位置の入力を前記入力部が受け付けると、前記複数の表示部の配列中での所定表示部の位置を表す全体位置画像が、前記所定表示部に表示されるように、前記制御部が前記所定表示部を制御し、
前記所定表示部は、前記複数の表示部のうちのいずれかを示す、請求項２に記載の画像表示システム。
【請求項５】
前記入力画像は、互いに異なる方向を表す複数の方向画像を含み、
前記入力部を介して前記複数の方向画像のうちのいずれか１つが選択されることで、前記基準表示部に対する前記特定表示部の位置が入力される、請求項１から請求項４のいずれか１項に記載の画像表示システム。
【請求項６】
前記複数の方向画像のうち前記入力部を介して選択された方向画像に基づいて、前記基準表示部に対する前記特定表示部の位置を算出する算出部をさらに備える、請求項５に記載の画像表示システム。
【請求項７】
１画面分の画像を複数の表示部で表示させることが可能な画像表示システムの前記複数の表示部の位置を特定するエンラージ設定方法であって、
基準表示部に対する特定表示部の位置を入力するための入力画像を前記基準表示部に表示させる表示工程と、
前記入力画像を介して前記基準表示部に対する前記特定表示部の位置の入力を受け付ける入力工程と
を備え、
前記基準表示部と前記特定表示部とは、前記複数の表示部に含まれる、エンラージ設定方法。
【発明の詳細な説明】
【技術分野】
【０００１】
本発明は、画像表示システム、及びエンラージ設定方法に関する。
【背景技術】
【０００２】
特許文献１に記載の画像表示システムは、マルチディスプレーを構成する複数の表示装置と、撮像装置と、外部制御装置とを備える。複数の表示装置は、個別に設定された識別番号を表示用デバイスに表示する。撮像装置は、各表示装置にそれぞれ識別番号が表示されたマルチディスプレーを撮像する。外部制御装置は、撮像装置によって撮像された画像情報に基づいて、各表示装置の配置を特定し、特定した位置情報を各表示装置に送信する。各表示装置は、各自の配置に基づいて、画像情報を表示する。
【先行技術文献】
【特許文献】
【０００３】
【特許文献１】特開２００９−１０９６７１号公報
【発明の概要】
【発明が解決しようとする課題】
【０００４】
しかし、撮像装置が必要であった。さらに、各表示装置の配置を特定する際、撮像装置が撮像した画像をパターンマッチングにより解析しなければならなかった。従って、装置構成が複雑であった。
【０００５】
本発明は、簡素な装置構成で複数の表示部の位置を特定することが可能な表示システム、及びエンラージ設定方法を提供する。
【課題を解決するための手段】
【０００６】
本発明の第１の局面によれば、画像表示システムは、１画面分の画像を複数の表示部で表示させることが可能である。画像表示システムは、入力部と、制御部とを備える。入力部は、前記画像表示システムに対する指示を受け付ける。制御部は、前記表示部を制御する。前記複数の表示部は、基準表示部と、前記基準表示部に対する位置を特定される特定表示部とを含む。前記基準表示部に対する前記特定表示部の位置を入力するための入力画像が前記基準表示部に表示されるように、前記制御部が前記基準表示部を制御する。前記入力部は、前記基準表示部に対する前記特定表示部の位置の入力を受け付ける。
【０００７】
本発明の第２の局面によれば、エンラージ設定方法は、１画面分の画像を複数の表示部で表示させることが可能な画像表示システムの前記複数の表示部の位置を特定する。エンラージ設定方法は、表示工程と、入力工程とを備える。表示工程は、基準表示部に対する特定表示部の位置を入力するための入力画像を前記基準表示部に表示させる。入力工程は、前記入力画像を介して前記基準表示部に対する前記特定表示部の位置の入力を受け付ける。前記基準表示部と前記特定表示部とは、前記複数の表示部に含まれる。
【発明の効果】
【０００８】
本発明によれば、簡素な装置構成で複数の表示部の位置を特定することができる。
【図面の簡単な説明】
【０００９】
【図１】本発明の実施形態に係る画像表示システムのブロック図である。
【図２】外部制御装置を示すブロック図である。
【図３】表示装置Ｄを示すブロック図である。
【図４】表示部のＩＤ番号、及び表示部の仮の位置を示す図である。
【図５】エンラージ設定方法を示すフロー図である。
【図６】第１表示部に表示されている入力画像を示す図である。
【図７】入力部が第２表示部の位置の入力を受け付けているときの入力画像を示す図である。
【図８】相対位置画像、及び相対位置画像を示す図である。
【図９】入力部が第９表示部の位置の入力を受け付けているときの入力画像を示す図である。
【図１０】全体位置画像を示す図である。
【発明を実施するための形態】
【００１０】
本発明の実施形態について、図面を参照しながら説明する。なお、図中、同一又は相当部分については同一の参照符号を付して説明を繰り返さない。
【００１１】
図１を参照して、本発明の実施形態に係る画像表示システム１００について説明する。図１は、本発明の実施形態に係る画像表示システム１００のブロック図である。
【００１２】
図１に示すように、画像表示システム１００は、画像入力装置１０と、外部制御装置２０と、マルチディスプレー３０と、入力部４０とを備える。
【００１３】
画像入力装置１０は、マルチディスプレー３０に表示させる画像データを取得して外部制御装置２０に入力する。画像入力装置１０は、外部制御装置２０と有線接続、無線接続、又はネットワークを介して接続された情報処理装置であってもよい。画像入力装置１０は、例えば、テレビ放送の画像データ、又は情報処理装置の画像データを受信して外部制御装置２０に入力する。また、画像入力装置１０は、例えば、ＨＤＤのような記録装置に記録されている画像データを読み出して外部制御装置２０に入力する。また、画像入力装置１０は、例えば、カメラのような撮像装置によって撮像された画像データを取得して外部制御装置２０に入力する。
【００１４】
外部制御装置２０は、マルチディスプレー３０と有線通信又は無線通信によって通信可能に接続されている。外部制御装置２０は、マルチディスプレー３０を制御する。外部制御装置２０とマルチディスプレー３０とは、シリアル通信に用いられるシリアルケーブル１１で接続されている。
【００１５】
マルチディスプレー３０は、第１表示装置１〜第Ｎ表示装置Ｎを含む。Ｎは、２以上の整数である。
【００１６】
第１表示装置１〜第Ｎ表示装置Ｎの各々は、互いに同じ構成を有する。第１表示装置１〜第Ｎ表示装置Ｎの各々を、表示装置Ｄと記載する。
【００１７】
表示装置Ｄは、例えば、液晶ディスプレー（Ｌｉｑｕｉｄ  Ｃｒｙｓｔａｌ  Ｄｉｓｐｌａｙ）である。なお、表示装置Ｄは、ＥＬ（Ｅｌｅｃｔｒｏ−Ｌｕｍｉｎｅｓｃｅｎｃｅ）ディスプレー、又は、プラズマディスプレー（ＰＤＰ）でもよい。
【００１８】
複数の表示装置Ｄは、例えば、シリアルケーブル１２によりデイジーチェーン状に接続される。第１表示装置１は、外部制御装置２０に接続される。第１表示装置１〜第Ｎ表示装置Ｎは、第１表示装置１〜第Ｎ表示装置Ｎの順番に接続される。なお、順番は、外部制御装置２０から数えた順番を示す。
【００１９】
第１表示装置１〜第Ｎ表示装置Ｎは、それぞれ、第１表示部１ａ〜第Ｎ表示部Ｎａを含む。第１表示部１ａ〜第Ｎ表示部Ｎａの各々を、表示部Ｄａと記載する。
【００２０】
表示部Ｄａは、表示装置Ｄのうち画像が表示される部分を示すデバイスである。表示装置Ｄが液晶ディスプレーの場合、表示部ＤａはＬＣＤパネルである。
【００２１】
本実施形態では、画像表示システム１００は、第１表示装置１〜第９表示装置９を含む。また、第１表示装置１〜第９表示装置９は、それぞれ、第１表示部１ａ〜第９表示部９ａを含む。第１表示部１ａ〜第９表示部９ａは、３×３のマトリクス状に配置される。
【００２２】
なお、画像表示システム１００において、表示部Ｄａの個数は９個に限定されない。表示部Ｄａは、複数設けられればよい。また、複数の表示部Ｄａは、マトリクス状に配置されなくてもよい。複数の表示部Ｄａの配列は、特に限定されない。例えば、複数の表示部Ｄａを一列に並べてもよい。
【００２３】
入力部４０は、画像表示システム１００に対する指示を受け付ける。入力部４０は、例えば、外部制御装置２０と赤外線通信を行う機能を有するリモコンである。入力部４０は、例えば、操作ボタン、及び／又は、タッチパネルのような操作部を含む。ユーザーは、操作部を操作して、画像表示システム１００に対する指示を入力する。なお、入力部４０は、音声により画像表示システム１００に対する指示を受け付けてもよい。また、入力部４０は、ＰＣ（Ｐｅｒｓｏｎａｌ  Ｃｏｍｐｕｔｅｒ）を含み、ＬＡＮ（Ｌｏｃａｌ  Ａｒｅａ  Ｎｅｔｗｏｒｋ）などのネットワーク網を介して外部制御装置２０と通信してもよい。
【００２４】
次に、図２を参照して、外部制御装置２０についてさらに説明する。図２は、外部制御装置２０を示すブロック図である。
【００２５】
図２に示すように、外部制御装置２０は、外部記憶部２１と、外部制御部２２と、外部画像処理部２３と、外部通信部２４と、外部受信部２５とを含む。
【００２６】
外部記憶部２１は、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）のような主記憶装置（例えば、半導体メモリー）を含み、補助記憶装置（例えば、ハードディスクドライブ）をさらに含んでもよい。外部記憶部２１は、外部制御部２２によって実行される種々のコンピュータープログラムを記憶する。
【００２７】
外部制御部２２は、ＣＰＵ（Ｃｅｎｔｒａｌ  Ｐｒｏｃｅｓｓｉｎｇ  Ｕｎｉｔ）及びＭＰＵ（Ｍｉｃｒｏ  Ｐｒｏｃｅｓｓｉｎｇ  Ｕｎｉｔ）のようなプロセッサーを含む。外部制御部２２は、外部記憶部２１に記憶されたコンピュータープログラムを実行することにより、外部制御装置２０の各要素を制御する。
【００２８】
外部画像処理部２３は、画像入力装置１０から入力される画像データに対して所定の画像処理を行う。例えば、画像入力装置１０から入力される画像データの画素数を、マルチディスプレー３０の表示画面サイズに応じた画素数に変換する処理を外部画像処理部２３が行う。なお、外部画像処理部２３は、プロセッサーで構成されるものでもよく、ハードウェアロジックによって実現されるものでもよい。
【００２９】
外部通信部２４は、外部制御部２２がマルチディスプレー３０に出力するために生成した制御情報を、予め定められたシリアル通信の規格に従った電気信号に符号化してマルチディスプレー３０に出力する。また、外部通信部２４は、マルチディスプレー３０から入力される電気信号を予め定められたシリアル通信の規格に応じて復号化して外部制御部２２に伝達する。外部制御部２２は、外部通信部２４及びシリアルケーブル１１を介して所定のコマンドをマルチディスプレー３０に出力する。また、外部制御部２２は、外部通信部２４及びシリアルケーブル１１を介して画像データをマルチディスプレー３０に出力する。
【００３０】
外部受信部２５は、入力部４０と有線通信又は無線通信によって通信可能に接続されている。本実施形態では、外部受信部２５は、入力部４０から出力される赤外線を受光するデバイスである。
【００３１】
入力部４０が受け付けた画像表示システム１００に対する指示は、外部受信部２５、外部制御部２２、及びシリアルケーブル１１を介してマルチディスプレー３０に出力される。
【００３２】
次に、図３及び図４を参照して、表示装置Ｄについてさらに説明する。図３は、表示装置Ｄを示すブロック図である。
【００３３】
図３に示すように、表示装置Ｄ、表示部Ｄａと、記憶部Ｄｂと、制御装置Ｄｃとを有する。
【００３４】
記憶部Ｄｂは、ＲＯＭ、及びＲＡＭのような主記憶装置を含み、補助記憶装置をさらに含んでもよい。記憶部Ｄｂは、制御装置Ｄｃによって実行される種々のコンピュータープログラムを記憶する。
【００３５】
記憶部Ｄｂは、ＩＤ情報Ｄｂ１と、位置情報Ｄｂ２と、入力画像５０とを記憶する。
【００３６】
ＩＤ情報Ｄｂ１は、表示部ＤａのＩＤ番号αを示す情報である。
【００３７】
第１表示装置１〜第Ｎ表示装置Ｎがシリアルケーブル１１及びシリアルケーブル１２により外部制御装置２０（図２参照）に接続されると、外部制御装置２０の外部制御部２２が第１表示部１ａ〜第Ｎ表示部Ｎａの各々にＩＤ番号αを割り当てる。
【００３８】
位置情報Ｄｂ２は、表示部Ｄａの位置を示す情報である。入力画像５０は、表示部Ｄａの位置を入力するための画像である。入力画像５０の説明は後述する。
【００３９】
図４は、表示部ＤａのＩＤ番号α、及び表示部Ｄａの仮の位置β１を示す図である。
【００４０】
図４に示すように、本実施形態では、ＩＤ番号αは、第１表示装置１〜第Ｎ表示装置Ｎが接続される順番の番号を示す。従って、第１表示部１ａのＩＤ番号αは、ＩＤ番号１である。また、第ｎ表示部ｎａのＩＤ番号αは、ＩＤ番号ｎである。ｎは、１以上Ｎ以下の整数である。
【００４１】
本実施形態では、外部制御装置２０の外部制御部２２は、第１表示部１ａ〜第Ｎ表示部Ｎａの各々にＩＤ番号αを割り当てる際、第１表示部１ａ〜第Ｎ表示部Ｎａの各々に仮の位置β１を割り当てる。本実施形態では、第ｎ表示部ｎａの仮の位置β１は位置［ｘｎ、ｙｎ］であり、第ｎ表示部ｎａのＩＤ番号ｎに対応した値に設定される。
【００４２】
なお、本実施形態では、図４において、Ｘ軸は表示部Ｄａの紙面上下方向の位置を示し、Ｙ軸は表示部Ｄａの紙面左右方向の位置を示す。また、図４において、Ｘ軸方向に向かう程、位置ｘｎの値が増加する。また、Ｙ軸方向に向かう程、位置ｙｎの値が増加する。
【００４３】
図３及び図４に示すように、制御装置Ｄｃは、ＣＰＵ及びＭＰＵのようなプロセッサーを含む。制御装置Ｄｃは、記憶部Ｄｂに記憶されたコンピュータープログラムを実行することにより、表示装置Ｄの各要素を制御する。
【００４４】
制御装置Ｄｃは、制御部Ｄｃ１と、算出部Ｄｃ２とを有する。具体的には、制御装置Ｄｃのプロセッサーが、記憶部Ｄｂに記憶されたコンピュータープログラムを実行することにより、制御部Ｄｃ１及び算出部Ｄｃ２として機能する。
【００４５】
制御部Ｄｃ１は、表示部Ｄａを制御する。
【００４６】
第１表示装置１〜第Ｎ表示装置Ｎの各々の制御部Ｄｃ１は、外部制御装置２０から出力される１画面分の画像のうちから、自身が制御する表示部Ｄａの位置に対応した所定画像を抽出する。そして、第１表示装置１〜第Ｎ表示装置Ｎの各々の制御部Ｄｃ１は、自身が制御する表示部Ｄａに所定画像を表示させる。その結果、複数の表示部Ｄａに１画面分の画像が表示される。
【００４７】
算出部Ｄｃ２は、表示部Ｄａの実際の位置β２を算出する。実際の位置β２は、複数の表示部Ｄａのうちのいずれかを基準にして相対的に決定された位置を示す。算出部Ｄｃ２が表示部Ｄａの実際の位置β２を算出すると、表示部Ｄａの位置が、仮の位置β１から実際の位置β２に更新される。
【００４８】
次に、図５から図１０を参照して、第１表示部１ａ〜第Ｎ表示部Ｎａの各々の位置β２を特定するエンラージ設定方法について説明する。図５は、エンラージ設定方法を示すフロー図である。
【００４９】
エンラージ設定方法の要約を説明する。
【００５０】
なお、第１表示部１ａの実際の位置β２は、第１表示部１ａの仮の位置β１と同じ値に設定される。従って、第１表示部１ａの実際の位置β２は、位置［ｘ１、ｙ１］である（図４参照）。理由は、エンラージ処理が開始されると、まず、第１表示部１ａを基準にして、第２表示部２ａの位置β２が算出されるからである。
【００５１】
図５に示すように、ステップＳ５において、まず、第１表示部１ａに対する第２表示部２ａの位置β２が算出される。ステップＳ５に示す処理が行われると、第２表示部２ａに対する第３表示部３ａの位置β２が算出される。次に、ステップＳ５に示す処理がわれると、第３表示部３ａに対する第４表示部４ａの位置β２が算出される。以上のように、第Ｐ表示部Ｐａに対する第（Ｐ＋１）表示部（Ｐ＋１）ａの位置β２を算出する処理が繰り返される。その結果、第１表示部１ａ〜第Ｎ表示部Ｎａの各々の位置β２が特定される。なお、Ｐは、１以上（Ｎ−１）以下の整数である。また、第Ｐ表示部Ｐａは、本発明の基準表示部の一例を示す。第（Ｐ＋１）表示部（Ｐ＋１）ａは、本発明の特定表示部の一例を示す。
【００５２】
次に、エンラージ設定方法を詳細に説明する。
【００５３】
図５に示すように、ステップＳ１において、入力部４０は、複数の表示部Ｄａの各々の位置β２を特定する指示を受け付ける。
【００５４】
次に、ステップＳ２〜ステップＳ８において、第１表示部１ａに対する第２表示部２ａの位置β２が特定される。この場合、第１表示部１ａが、基準表示部の一例である第Ｐ表示部Ｐａに該当する。また、この場合、第２表示部２ａが、特定表示部の一例である第（Ｐ＋１）表示部（Ｐ＋１）ａに該当する。第１表示部１ａに対する第２表示部２ａの位置β２が特定される手順について説明する。
【００５５】
ステップＳ２において、第１表示部１ａが入力画像５０を表示するように、第１表示装置１の制御部Ｄｃ１が第１表示部１ａを制御する。その結果、第１表示部１ａに入力画像５０が表示される。
【００５６】
図６は、第１表示部１ａに表示されている入力画像５０を示す図である。
【００５７】
図５及び図６に示すように、入力画像５０は、第Ｐ表示部Ｐａに対する第（Ｐ＋１）表示部（Ｐ＋１）ａの位置β２を入力するための画像である。
【００５８】
入力画像５０は、複数の方向画像５１を含む。複数の方向画像５１は、互いに異なる方向を表す。本実施形態では、複数の方向画像５１は、互いに異なる方向を表す矢印である。なお、複数の方向画像５１の各々は、方向を特定できる記号であればよく、矢印に限定されない。例えば、複数の方向画像５１の各々は、「前」、「後」、「左」、及び「右」のような文字でもよい。本実施形態では、複数の方向画像５１は、８つの矢印を含む。従って、ユーザーは、入力画像５０を介して、８つの矢印のうちのいずれかを指定することができる。
【００５９】
ステップＳ３において、第２表示部２ａがガイド画像６０を表示するように、第２表示装置２の制御部Ｄｃ１が第２表示部２ａを制御する。その結果、第２表示部２ａにガイド画像６０が表示される。
【００６０】
ガイド画像６０は、第（Ｐ＋１）表示部（Ｐ＋１）ａを表す画像である。本実施形態では、ガイド画像６０は、第（Ｐ＋１）表示部（Ｐ＋１）ａのＩＤ番号αを表す画像である。なお、ガイド画像６０は、第（Ｐ＋１）表示部（Ｐ＋１）ａを特定できる画像であればよく、ＩＤ番号αに限定されない。
【００６１】
ステップＳ４において、第１表示部１ａに対する第２表示部２ａの位置β２の入力を入力部４０が受け付けたか否かを、第２表示装置２の制御部Ｄｃ１が判定する。
【００６２】
第２表示部２ａの位置β２の入力を入力部４０が受け付けた場合（ステップＳ４で、Ｙｅｓ）、処理がステップＳ５に移行する。第２表示部２ａの位置β２の入力を入力部４０が受け付けていない場合（ステップＳ４で、Ｎｏ）、ステップＳ４に示す処理が繰り返される。
【００６３】
図７を参照して、入力部４０が、入力画像５０を介して第１表示部１ａに対する第２表示部２ａの位置β２の入力を受け付ける手順を説明する。図７は、入力部４０が第２表示部２ａの位置β２の入力を受け付けているときの入力画像５０を示す図である。
【００６４】
図７に示すように、本実施形態では、ユーザーは、第１表示部１ａ及び第２表示部２ａを視認する。そして、ユーザーは、ガイド画像６０に基づいて、第１表示部１ａに対し、図７の紙面右側に第２表示部２ａが位置することを認識する。そして、ユーザーは、第１表示部１ａに対し右側に第２表示部２ａが位置することを示す情報を、入力部４０を介して入力する。この場合、例えば、ユーザーは、入力部４０を介して、複数の方向画像５１のうち、右方向を指す方向画像５１ａを選択する。その結果、入力部４０が入力画像５０を介して第２表示部２ａの位置β２の入力を受け付ける。そして、右方向を指す方向画像５１ａが、他の方向画像５１ｂとは異なる色で点灯する。ユーザーは、右方向を指す方向画像５１ａの点灯を視認することで、入力部４０がユーザーの指示を受け付けたことを認識できる。
【００６５】
以下では、入力部４０が受け付けた第１表示部１ａに対する第２表示部２ａの位置β２を示す情報を、入力情報と記載する。
【００６６】
図５に示すように、ステップＳ５において、第２表示装置２の算出部Ｄｃ２は、入力部４０から入力情報を受信する。そして、第２表示装置２の算出部Ｄｃ２は、入力情報に基づいて、第１表示部１ａに対する第２表示部２ａの位置β２を算出する。
【００６７】
本実施形態では、第２表示装置２の算出部Ｄｃ２は、右方向を指す方向画像５１ａが選択されたことを、入力部４０から受信する。従って、第２表示装置２の算出部Ｄｃ２は、第１表示部１ａに対し右側に第２表示部２ａが位置することを算出する。
【００６８】
ステップＳ６において、第１表示装置１の制御部Ｄｃ１は、入力部４０から入力情報を受信する。そして、第１表示装置１の制御部Ｄｃ１は、入力情報に基づいて、第１表示部１ａの相対位置画像Ｖ１を算出する。そして、第１表示部１ａが相対位置画像Ｖ１を表示するように、第１表示装置１の制御部Ｄｃ１が第１表示部１ａを制御する。第１表示部１ａの相対位置画像Ｖ１は、第２表示部２ａに対する第１表示部１ａの位置β２を表す画像である。
【００６９】
ステップＳ７において、第２表示装置２の制御部Ｄｃ１は、入力情報に基づいて、第２表示部２ａの相対位置画像Ｖ２を算出する。第２表示部２ａの相対位置画像Ｖ２は、第１表示部１ａに対する第２表示部２ａの位置β２を表す画像である。そして、第２表示部２ａが相対位置画像Ｖ２を表示するように、第２表示装置２の制御部Ｄｃ１が第２表示部２ａを制御する。
【００７０】
図８は、相対位置画像Ｖ１、及び相対位置画像Ｖ２を示す図である。
【００７１】
図８に示すように、相対位置画像Ｖ１は、第１表示部１ａに表示される。相対位置画像Ｖ２は、第２表示部２ａに表示される。
【００７２】
相対位置画像Ｖ１、及び相対位置画像Ｖ２の各々は、第１特定画像Ｗ１と、第２特定画像Ｗ２と、第１画像Ｚ１と、第２画像Ｚ２とを含む。第１特定画像Ｗ１は、第１表示部１ａの位置β２を特定するための画像である。第２特定画像Ｗ２は、第２表示部２ａの位置β２を特定するための画像である。第１画像Ｚ１は、第１表示部１ａを表した画像である。第２画像Ｚ２は、第２表示部２ａを表した画像である。
【００７３】
第１画像Ｚ１及び第２画像Ｚ２は、第１表示部１ａ及び第２表示部２ａの実際の位置β２に沿って配列される。本実施形態では、相対位置画像Ｖ１、及び相対位置画像Ｖ２の各々において、第１画像Ｚ１の右側に第２画像Ｚ２が配置される。
【００７４】
相対位置画像Ｖ１において、第１画像Ｚ１上に第１特定画像Ｗ１が配置される。従って、相対位置画像Ｖ１において、第１表示部１ａの位置β２を第１特定画像Ｗ１が特定している。
【００７５】
相対位置画像Ｖ２において、第２画像Ｚ２上に第２特定画像Ｗ２が配置される。従って、相対位置画像Ｖ２において、第２表示部２ａの位置β２を第２特定画像Ｗ２が特定している。
【００７６】
ユーザーは、特定画像Ｚを視認することで、ステップＳ５に示す処理が実行されたことを認識することができる。ステップＳ５に示す処理は、第１表示部１ａに対する第２表示部２ａの位置β２を算出する処理を示す。
【００７７】
ステップＳ８において、第２表示装置２の制御部Ｄｃ１は、第２表示部２ａの位置情報Ｄｂ２を更新する。具体的には、第２表示装置２の制御部Ｄｃ１は、位置情報Ｄｂ２の内容を、仮の位置β１から、ステップＳ５で算出された実際の位置β２に更新する。そして、第２表示装置２の制御部Ｄｃ１は、更新後の位置情報Ｄｂ２である位置β２を第２表示装置２の記憶部Ｄｂに記憶する。
【００７８】
本実施形態では、第１表示部１ａの右側に第２表示部２ａが位置する。従って、第２表示部２ａは、第１表示部１ａに対し、Ｘ軸方向に同じ場所に位置する。また、第２表示部２ａは、第１表示部１ａに対し、Ｙ軸方向に隣り合う場所に位置する。その結果、第２表示部２ａの位置が、仮の位置β１である位置［ｘ２、ｙ２］から、実際の位置β２である［ｘ１、ｙ１＋１］に更新される（図９参照）。つまり、第２表示部２ａの位置が、第１表示部１ａの位置［ｘ１、ｙ１］に対し相対的に決定された位置［ｘ１、ｙ１＋１］に更新される。そして、第２表示装置２の制御部Ｄｃ１は、第２表示装置２の位置［ｘ１、ｙ１＋１］を、更新後の位置情報Ｄｂ２として第２表示装置２の記憶部Ｄｂに記憶する。
【００７９】
ステップＳ９において、第Ｎ表示装置Ｎの制御部Ｄｃ１は、第Ｎ表示部Ｎａの位置β２を算出する処理が終了したか否かを判定する。
【００８０】
第Ｎ表示部Ｎａの位置β２を算出する処理が終了していない場合（ステップＳ９で、Ｎｏ）、処理がステップＳ２に移行する。その結果、第Ｎ表示部Ｎａの位置β２が算出されるまで、ステップＳ２〜ステップＳ８に示す処理が繰り返される。なお、本実施形態では、第９表示部９ａの位置β２が算出されるまで、ステップＳ２〜ステップＳ８に示す処理が繰り返される。
【００８１】
第Ｎ表示部Ｎａの位置β２を算出する処理が終了している場合（ステップＳ９で、Ｙｅｓ）、処理がステップＳ１０に移行する。なお、本実施形態では、第９表示部９ａの位置β２を算出する処理が終了している場合、処理がステップＳ１０に移行する。
【００８２】
図９は、入力部４０が第９表示部９ａの位置β２の入力を受け付けているときの入力画像５０を示す図である。本実施形態では、図９に示すように、入力部４０が第９表示部９ａの位置β２の入力を受け付け、第９表示部９ａの位置情報Ｄｂ２が更新されると、処理がステップＳ１０に移行する。
【００８３】
図５に示すように、ステップＳ１０において、第ｎ表示装置ｎの制御部Ｄｃ１は、第１表示部１ａの更新後の位置情報Ｄｂ２〜第Ｎ表示部Ｎａの更新後の位置情報Ｄｂ２を取得する。そして、第ｎ表示装置ｎの制御部Ｄｃ１は、第１表示部１ａの更新後の位置情報Ｄｂ２〜第Ｎ表示部Ｎａの更新後の位置情報Ｄｂ２に基づいて、全体位置画像Ｑｎを算出する。そして、第ｎ表示部ｎａが全体位置画像Ｑｎを表示するように、第ｎ表示装置ｎの制御部Ｄｃ１が第ｎ表示部ｎａを制御する。ｎは、１以上Ｎ以下の整数である。
【００８４】
図１０は、全体位置画像Ｑｎを示す図である。図１０を参照して、本実施形態の全体位置画像Ｑｎについて説明する。
【００８５】
図１０に示すように、全体位置画像Ｑｎは、第１表示部１ａ〜第Ｎ表示部Ｎａの配列中での第ｎ表示部ｎａの位置β２を表す画像である。
【００８６】
複数の表示部Ｄａには、第Ｐ表示部Ｐａ（基準表示部）に指定される順番が予め割り当てられる。そして、割り当てられた順番が最後の第Ｐ表示部Ｐａに対する第（Ｐ＋１）表示部（Ｐ＋１）ａ（特定表示部）の位置の入力を入力部４０が受け付けると、複数の表示部Ｄａの配列中での所定表示部の位置を表す全体位置画像Ｑｎが、所定表示部に表示されるように、制御部Ｄｃ１が所定表示部を制御する。所定表示部は、複数の表示部Ｄａのうちのいずれかを示す。
【００８７】
全体位置画像Ｑｎは、第ｎ特定画像Ｗｎと、第１画像Ｚ１〜第Ｎ画像ＺＮとを含む。第ｎ特定画像Ｗｎは、第ｎ表示部ｎａの位置β２を特定するための画像である。第１画像Ｚ１〜第Ｎ画像ＺＮは、それぞれ、第１表示部１ａ〜第Ｎ表示部Ｎａを表した画像である。第１画像Ｚ１〜第Ｎ画像ＺＮは、第１表示部１ａ〜第Ｎ表示部Ｎａの実際の位置β２に沿って配列される。第ｎ特定画像Ｗｎは、第ｎ画像Ｚｎ上に配置される。
【００８８】
本実施形態では、Ｎ＝９である。従って、全体位置画像Ｑ１〜全体位置画像Ｑ９が、それぞれ、第１表示部１ａ〜第９表示部９ａに表示される。
【００８９】
第１表示部１ａ〜第９表示部９ａの各々には、第１画像Ｚ１〜第９画像Ｚ９が、第１表示部１ａ〜第９表示部９ａの実際の位置β２に沿って、３×３のマトリックス状に配置される。第１特定画像Ｗ１〜第９特定画像Ｗ９は、それぞれ、第１画像Ｚ１〜第９画像Ｚ９上に配置される。
【００９０】
ユーザーは、全体位置画像Ｑ１〜全体位置画像ＱＮを視認することで、全ての表示部Ｄａの位置β２が特定されたことを認識することができる。
【００９１】
以上、図５から図１０を参照して説明したように、第Ｐ表示部Ｐａに対する第（Ｐ＋１）表示部（Ｐ＋１）ａの位置β２を特定する処理が行われる際、第Ｐ表示部Ｐａに入力画像５０が表示される。そして、入力部４０は、入力画像５０を介して第Ｐ表示部Ｐａに対する第（Ｐ＋１）表示部（Ｐ＋１）ａの位置β２の入力を受け付ける。従って、従来のような撮像装置を設ける必要がない。その結果、簡素な装置構成で複数の表示部Ｄａの位置β２を特定することが可能である。
【００９２】
また、複数の表示部Ｄａが予め決められた順番で接続されていなくても複数の表示部Ｄａの位置β２を正しい位置に設定することができる。
【００９３】
また、入力部４０は、第Ｐ表示部Ｐａに対する第（Ｐ＋１）表示部（Ｐ＋１）ａの位置β２の入力を受け付ける際、第１表示部１ａに対する第２表示部２ａの位置β２の入力から、第（Ｎ−１）表示部（Ｎ−１）ａに対する第Ｎ表示部Ｎａの位置β２の入力まで順番に受け付ける（図５のステップＳ２〜ステップＳ９）。つまり、複数の表示部Ｄａには、第Ｐ表示部Ｐａ（基準表示部）に指定される順番が予め割り当てられる。そして、第Ｐ表示部Ｐａに対する第（Ｐ＋１）表示部（Ｐ＋１）ａ（特定表示部）の位置の入力を入力部４０が受け付ける毎に、前記制御部Ｄｃ１は、順番に従って第Ｐ表示部Ｐａを複数の表示部Ｄａのうちから変更する。従って、ユーザーは、入力画像５０を確認しつつ、入力部４０を介して複数の表示部Ｄａの位置β２を順番に入力すればよい。その結果、複数の表示部Ｄａの位置β２を円滑に特定することができる。
【００９４】
また、入力画像５０は、互いに異なる方向を表す複数の方向画像５１を含む。従って、ユーザーは、入力部４０を介して第Ｐ表示部Ｐａに対する第（Ｐ＋１）表示部（Ｐ＋１）ａの位置β２を入力する作業を直観的に行える。
【００９５】
また、第Ｐ表示部Ｐａに対する第（Ｐ＋１）表示部（Ｐ＋１）ａの位置β２の入力を入力部４０が受け付ける際、第（Ｐ＋１）表示部（Ｐ＋１）ａにガイド画像６０が表示される。つまり、第Ｐ表示部Ｐａ（基準表示部）に対する第（Ｐ＋１）表示部（Ｐ＋１）ａ（特定表示部）の位置の入力を入力部４０が受け付ける際、第（Ｐ＋１）表示部（Ｐ＋１）ａを表すガイド画像６０が際、第（Ｐ＋１）表示部（Ｐ＋１）ａに表示されるように、制御部Ｄｃ１が第（Ｐ＋１）表示部（Ｐ＋１）ａを制御する。従って、ユーザーは、ガイド画像６０を視認して、第（Ｐ＋１）表示部（Ｐ＋１）ａの位置β２を特定することができる。その結果、入力部４０を介して第Ｐ表示部Ｐａに対する第（Ｐ＋１）表示部（Ｐ＋１）ａの位置β２を入力する作業を容易に行える。
【００９６】
以上、図面（図１〜図１０）を参照しながら本発明の実施形態について説明した。但し、本発明は、上記の実施形態に限られるものではなく、その要旨を逸脱しない範囲で種々の態様において実施することが可能である（例えば、（１）〜（４））。また、上記の実施形態に開示されている複数の構成要素を適宜組み合わせることによって、種々の発明の形成が可能である。例えば、実施形態に示される全構成要素から幾つかの構成要素を削除してもよい。図面は、理解しやすくするために、それぞれの構成要素を主体に模式的に示しており、図示された各構成要素の個数等は、図面作成の都合から実際とは異なる場合もある。また、上記の実施形態で示す各構成要素は一例であって、特に限定されるものではなく、本発明の効果から実質的に逸脱しない範囲で種々の変更が可能である。
【００９７】
（１）本実施形態では、第１表示部１ａ〜第Ｎ表示部Ｎａは、第１表示部１ａ〜第Ｎ表示部Ｎａの順番に接続される。そして、第１表示部１ａ〜第Ｎ表示部Ｎａの順番に実際の位置β２が特定される。しかし、本発明はこれに限定されない。第１表示部１ａ〜第Ｎ表示部Ｎａの各々の位置β２が特定される順番は特に限定されない。第１表示部１ａ〜第Ｎ表示部Ｎａの各々の位置β２は、シリアルケーブル１２により接続される順番で特定されなくてもよい。例えば、本実施形態とは逆の順番で、第１表示部１ａ〜第Ｎ表示部Ｎａの各々の位置β２が特定されてもよい。
【００９８】
（２）本実施形態では、入力部４０を介して第Ｐ表示部Ｐａに対する第（Ｐ＋１）表示部（Ｐ＋１）ａの位置β２を指定する際、第Ｐ表示部Ｐａに対し８方向に隣り合う表示部Ｄａを指定できる。具体的には、図６の紙面上において、第Ｐ表示部Ｐａに対し左右方向に隣り合う表示部Ｄａ、上下方向に隣り合う表示部Ｄａ、及び斜め方向に隣り合う表示部Ｄａを指定できる。しかし、本発明はこれに限定されない。第Ｐ表示部Ｐａに対し８方向に隣り合う表示部Ｄａよりも離間した場所に位置する表示部Ｄａを、入力部４０を介して指定できてもよい。例えば、第Ｐ表示部Ｐａに対し２つ隣りの表示部Ｄａを指定できてもよい。
【００９９】
（３）本実施形態では、表示装置Ｄの算出部Ｄｃ２が、表示部Ｄａの位置β２を算出する。しかし、本発明はこれに限定されない。外部制御装置２０の外部制御部２２が複数の表示部Ｄａの位置β２を算出してもよい。
【０１００】
（４）本実施形態のステップＳ４において、ユーザーが入力部４０を介して第Ｐ表示部Ｐａに対する第（Ｐ＋１）表示部（Ｐ＋１）ａの位置β２を入力する際の、入力ミスに対する対応策について説明する。
【０１０１】
対応策の一例において、入力部４０を介して第（Ｐ＋１）表示部（Ｐ＋１）ａの位置β２が入力される際、第１表示部１ａ〜第（Ｐ−１）表示部（Ｐ−１）ａの位置β２に戻る方向の入力を入力部４０が受け付けないように構成してもよい。この場合、第１表示部１ａ〜第（Ｐ−１）表示部（Ｐ−１）ａの位置β２は、既に算出されている。従って、第１表示部１ａ〜第（Ｐ−１）表示部（Ｐ−１）ａの位置β２に戻る方向の入力を入力部４０が受け付けないように、制御部Ｄｃ１が入力部４０を制御することが可能になる。また、この場合、例えば、第１表示部１ａ〜第（Ｐ−１）表示部（Ｐ−１）ａの位置β２に戻る方向の方向画像５１をグレーアウトで表示し、選択不能な方向画像５１があることをユーザーに視覚的に認識させてもよい。
【０１０２】
対応策の二例において、第（Ｐ＋１）表示部（Ｐ＋１）ａの位置β２が選択された後、入力部４０を介して第Ｐ表示部Ｐａの位置β２を選択できるように構成してもよい。第（Ｐ＋１）表示部（Ｐ＋１）ａの位置β２が選択された後、第Ｐ表示部Ｐａの位置β２が選択されると、制御部Ｄｃ１は入力ミスと判定する。この場合、制御部Ｄｃ１は第Ｐ表示部Ｐａにアラートを表示させてもよい。そして、入力部４０を介して第（Ｐ＋１）表示部（Ｐ＋１）ａの位置β２を再度選択可能になる。
【０１０３】
対応策の三例において、ユーザーは、相対位置画像Ｖ１、及び相対位置画像Ｖ２（図８参照）を視認して、入力ミスを認識することが可能である。また、ユーザーは、全体位置画像Ｑｎを視認して、入力ミスを認識することが可能である。
【産業上の利用可能性】
【０１０４】
本発明は、画像表示システムの分野に利用可能である。
【符号の説明】
【０１０５】
１ａ          第１表示部
４０          入力部
５０          入力画像
５１          方向画像
６０          ガイド画像
１００        画像表示システム
Ｄａ          表示部
Ｄｃ１        制御部
Ｄｃ２        算出部
Ｎａ          第Ｎ表示部
Ｐａ          第Ｐ表示部
（Ｐ＋１）ａ  第（Ｐ＋１）表示部
Ｐｎ          第ｎ表示部
【図１】
2019159168.tif 000003
【図２】
2019159168.tif 000004
【図３】
2019159168.tif 000005
【図４】
2019159168.tif 000006
【図５】
2019159168.tif 000007
【図６】
2019159168.tif 000008
【図７】
2019159168.tif 000009
【図８】
2019159168.tif 000010
【図９】
2019159168.tif 000011
【図１０】
2019159168.tif 000012